(57)【特許請求の範囲】
【請求項１】
遊技機本体に組み込まれた遊技盤の前面側に遊技球を打ち出す発射装置と、遊技球を貯留する受け皿を有し、前記発射装置の前方に位置するように前記遊技機本体に取り付けられるとともに、前記遊技機本体の前面を覆う受け皿ユニットとを備えた弾球遊技機において、
前記遊技機本体の前面に形成され、前記受け皿ユニットを受けるユニット受け部と、
前記受け皿ユニットに形成された脚と、
前記ユニット受け部に形成され、前記脚が差し込まれる差し込み孔とを設け、
前記受け皿ユニットの裏面側に、その幅方向と略同一方向にスライド自在で、かついずれか一方の方向に付勢されたスライド爪を設けるとともに、前記付勢によって前記スライド爪が係止する爪係止部を前記遊技機本体に設け、前記受け皿ユニットに、前記スライド爪と前記爪係止部との係止を解除させる解除操作部を設けて、前記脚を前記差し込み孔に差し込んだ後に前記スライド爪を前記爪係止部に係止させると前記受け皿ユニットが前記遊技機本体に固定され、
前記受け皿ユニットの一部を開閉自在な開閉カバーとし、前記開閉カバーが開放されると前記発射装置が露呈され、前記開閉カバーが閉じられると前記発射装置が覆われることを特徴とする弾球遊技機。
【請求項２】
前記受け皿ユニットは、前記受け皿及び前記開閉カバーを有する前カバーと、一方の面側に前記前カバーが取り付けられ、他方の面側が前記遊技機本体に取り付けられるベース板とを備え、
前記ベース板に前記発射装置を露呈させる開口を形成し、
前記開閉カバーは前記開口を開閉することを特徴とする請求項１記載の弾球遊技機。
【請求項３】
前記開閉カバーは、前記発射装置を覆う閉じ位置と前記発射装置を露呈させる開放位置との間で回動するように軸着されていることを特徴とする請求項１又は２記載の弾球遊技機。
【請求項４】
前記開閉カバーは、軸の延びる方向と略直交する方向で遊びが生じるように軸着されていることを特徴とする請求項３記載の弾球遊技機。
【請求項５】
前記開閉カバーの下端部を略水平方向に延びた軸に軸着し、
前記開閉カバーを前記開放位置に回動させたときに、その下端と前記ベース板又は前記下端と前記遊技機本体との隙間が遊技球の直径よりも大きくなることを特徴とする請求項２〜４のいずれかに記載の弾球遊技機。
【請求項６】
前記ベース板と前記遊技機本体とを固定する固定部材を設けたことを特徴とする請求項２〜５のいずれかに記載の弾球遊技機。
【請求項７】
前記開閉カバーは、前記ベース板と前記遊技機本体とを前記固定部材によって固定した後に前記閉じ位置に回動させることが可能になることを特徴とする請求項６記載の弾球遊技機。
【請求項８】
前記遊技盤の前面を露呈する透明窓が設けられた前面扉を備え、
前記前面扉は、前記受け皿ユニットの上方で前記遊技機本体に軸着され、
前記前面扉を閉じた状態で前記開閉カバーを開放させることを不能にするロック機構を備えたことを特徴とする請求項１〜７のいずれかに記載の弾球遊技機。
【請求項９】
前記脚を前記差し込み孔に差し込んだ後に前記受け皿ユニットを前記遊技機本体に仮止めする仮止め機構を設けたことを特徴とする請求項１〜８のいずれかに記載の弾球遊技機。
【発明の詳細な説明】
【技術分野】
【０００１】
遊技球を貯留する受け皿が前面を有し、遊技機本体に着脱可能に取り付けられた受け皿ユニットを備えた弾球遊技機に関するものである。
【背景技術】
【０００２】
パチンコ機の下部には、払い出された賞球や貸与を受けたパチンコ球を貯留する受け皿を前面に備えた受け皿ユニットが設けられている。例えば特許文献１で示されているように、受け皿ユニットには、発射装置にパチンコ球を供給する球送り装置や球送り装置にパチンコ球を案内する案内通路などが設けられている。受け皿ユニットは発射装置の前方に位置するように軸着されており、例えば発射装置や球送り装置のメンテナンスなど、各種のメンテナンス作業は受け皿ユニットを開放して行われる。
【特許文献１】特開２００３−２６５７２０号公報
【発明の開示】
【発明が解決しようとする課題】
【０００３】
しかしながら上記のようなパチンコ機では、メンテナンス作業を行うときに受け皿ユニット全体を開放しなければならないため、遊技者からはその内部の構造を視認することが可能になっていた。そして、パチンコ機内部の構造が視認されることは、パチンコ機に不正な改造を施す、あるいは、外部から異物を挿入してパチンコ機を誤動作させることが容易になって遊技者の不正行為の増加に繋がっていた。
【０００４】
本発明は、上記課題を解決するためになされたもので、遊技者の不正行為を防止できるようにした弾球遊技機を提供することを目的とする。
【課題を解決するための手段】
【０００５】
本発明の弾球遊技機は、遊技機本体に組み込まれた遊技盤の前面側に遊技球を打ち出す発射装置と、遊技球を貯留する受け皿を有し、前記発射装置の前方に位置するように前記遊技機本体に取り付けられるとともに、前記遊技機本体の前面を覆う受け皿ユニットとを備えた弾球遊技機において、前記受け皿ユニットの一部を開閉自在な開閉カバーとし、前記開閉カバーが開放されると前記発射装置が露呈され、前記開閉カバーが閉じられると前記発射装置が覆われるものである。なお、「発射装置」とは、遊技球を打ち出す装置及びこの装置に遊技球を供給する装置の少なくともいずれか一方を含むものである。
【０００６】
また、前記受け皿ユニットは、前記受け皿及び前記開閉カバーを有する前カバーと、一方の面側に前記前カバーが取り付けられ、他方の面側が前記遊技機本体に取り付けられるベース板とを備え、前記ベース板に前記発射装置を露呈させる開口を形成し、前記開閉カバーは前記開口を開閉することが好ましい。
【０００７】
また、前記開閉カバーは、前記発射装置を覆う閉じ位置と前記発射装置を露呈させる開放位置との間で回動するように軸着されていることが好ましい。
【０００８】
また、前記開閉カバーは、軸の延びる方向と略直交する方向で遊びが生じるように軸着されていることが好ましい。なお、「遊び」とは、開閉カバーの軸を、軸の延びる方向と略直交する方向に移動できるように、受け皿ユニットと開閉カバーとの間に空間（遊び）を形成できる開閉カバーの軸着部分の寸法を示す。
【０００９】
また、前記開閉カバーの下端部を略水平方向に延びた軸に軸着し、前記開閉カバーを前記開放位置に回動させたときに、その下端と前記ベース板又は前記下端と前記遊技機本体との隙間が遊技球の直径よりも大きくなることが好ましい。
【００１０】
また、前記ベース板と前記遊技機本体とを固定する固定部材を設けることが好ましい。
【００１１】
また、前記開閉カバーは、前記ベース板と前記遊技機本体とを前記固定部材によって固定した後に前記閉じ位置に回動させることが可能になることが好ましい。
【００１２】
また、前記遊技盤の前面を露呈する透明窓が設けられた前面扉を備え、前記前面扉は、前記受け皿ユニットの上方で前記遊技機本体に軸着され、前記前面扉を閉じた状態で前記開閉カバーを開放させることを不能にするロック機構を備えることが好ましい。
【００１３】
また、前記遊技機本体の前面に形成され、前記受け皿ユニットを受けるユニット受け部と、前記受け皿ユニットに形成された脚と、前記ユニット受け部に形成され、前記脚が差し込まれる差し込み孔とを設けることが好ましい。
【００１４】
また、前記受け皿ユニットの裏面側に、その幅方向と略同一方向にスライド自在で、かついずれか一方の方向に付勢されたスライド爪を設けるとともに、前記付勢によって前記スライド爪が係止する爪係止部を前記遊技機本体に設け、前記受け皿ユニットに、前記スライド爪と前記爪係止部との係止を解除させる解除操作部を設けて、前記脚を前記差し込み孔に差し込んだ後に前記スライド爪を前記爪係止部に係止させると前記受け皿ユニットが前記遊技機本体に固定されることが好ましい。
【００１５】
また、前記脚を前記差し込み孔に差し込んだ後に前記受け皿ユニットを前記遊技機本体に仮止めする仮止め機構を設けることが好ましい。
【発明の効果】
【００１６】
本発明の弾球遊技機は、受け皿ユニットの一部を開閉自在な開閉カバーとし、開閉カバーが開放されると発射装置が露呈され、開閉カバーが閉じられると発射装置が覆われるので、発射装置や球送り装置のメンテナンス作業を行う際に不必要な箇所が露呈されることを防止でき、これにより、遊技者が内部の構造を視認することを困難にして遊技者の不正行為を防止できる。また、従来のように受け皿ユニットと遊技機本体とを施錠する必要がなくなるので、部品点数を削減することが可能になり、製造コストを低減できる。
【００１７】
また、前記受け皿ユニットは、前記受け皿及び前記開閉カバーを有する前カバーと、一方の面側に前記前カバーが取り付けられ、他方の面側が前記遊技機本体に取り付けられるベース板とを備え、前記ベース板に前記発射装置を露呈させる開口を形成し、前記開閉カバーは前記開口を開閉するので、発射装置の露呈部分を最小限にすることが可能になり、遊技者が内部の構造を視認することをより困難にすることができる。
【００１８】
また、前記開閉カバーは、前記発射装置を覆う閉じ位置と前記発射装置を露呈させる開放位置との間で回動するように軸着されているので、開閉カバーを取り外す必要がなくなり、メンテナンス作業を効率よくでき、また、開閉カバーの盗難を防止できる。
【００１９】
また、前記開閉カバーは、軸の延びる方向と略直交する方向で遊びが生じるように軸着されているので、受け皿ユニットを構成する部品の精度にバラツキが生じても開閉カバーを確実に閉じることが可能になり、受け皿ユニットの製造を容易にすることができる。
【００２０】
また、前記開閉カバーの下端部を略水平方向に延びた軸に軸着し、前記開閉カバーを前記開放位置に回動させたときに、その下端と前記ベース板又は前記下端と前記遊技機本体との隙間が遊技球の直径よりも大きくなるので、開閉カバーを回動させた際にパチンコ球が開閉カバーの下端とベース板又は開閉カバーの下端と遊技機本体との間に滞在することを防止でき、開閉カバーの回動をスムーズに行うことができる。
【００２１】
また、前記ベース板と前記遊技機本体とを固定する固定部材を設けたので、遊技球の発射装置と受け皿ユニットとの相対的な位置決めを正確に行うことが可能になり、受け皿ユニットから発射装置への遊技球の供給を正確に行うことができる。
【００２２】
また、前記開閉カバーは、前記ベース板と前記遊技機本体とを前記固定部材によって固定した後に前記閉じ位置に回動させることが可能になるので、開閉カバーを閉じ位置にセットできるか否かによって遊技球の発射装置と受け皿ユニットとが固定されたか否かを確認することが可能になり、遊技機本体と受け皿ユニットとの相対的な位置決めを確実に行うことができる。
【００２３】
また、前記遊技盤の前面を露呈する透明窓が設けられた前面扉を備え、前記前面扉は、前記受け皿ユニットの上方で前記遊技機本体に軸着され、前記前面扉を閉じた状態で前記開閉カバーを開放させることを不能にするロック機構を備えたので、開閉カバーを閉じ位置でより確実に保持することが可能になり、不正な行為によって開閉カバーを開放位置に移動されることを防止できる。また、開閉カバーを閉じ位置で施錠する必要がなくなり、製造コストを低減できる。
【００２４】
また、前記遊技機本体の前面に形成され、前記受け皿ユニットを受けるユニット受け部と、前記受け皿ユニットに形成された脚と、前記ユニット受け部に形成され、前記脚が差し込まれる差し込み孔とを設けたので、受け皿ユニットの遊技機本体への着脱に必要な部品を増加させることなく、受け皿ユニットを遊技機本体に取り付けることが可能になり、製造コストを低減できる。
【００２５】
また、前記脚を前記差し込み孔に差し込んだ後に前記スライド爪を前記爪係止部に係止させると前記受け皿ユニットが前記遊技機本体に固定されるので、受け皿ユニットが遊技機本体に位置決めされた状態で受け皿ユニットを遊技機本体に固定することができ、受け皿ユニットの遊技機本体との着脱に伴う作業を効率良くできる。
【００２６】
また、前記脚を前記差し込み孔に差し込んだ後に前記受け皿ユニットを前記遊技機本体に仮止めする仮止め機構を設けたので、受け皿ユニットを遊技機本体に正確に位置決めしてから受け皿ユニットを遊技機本体に固定することが可能になり、受け皿ユニットの遊技機本体との着脱に伴う作業を効率良くできる。
【発明を実施するための最良の形態】
【００２７】
図１に示すように、本発明のパチンコ機（弾球遊技機）１０は、パチンコ機本体（遊技機本体）１１と、パチンコ機本体１１の下部を覆う受け皿ユニット１２とを備えている。パチンコ機本体１１は木製の外枠１３の内側に組み込まれている。パチンコ機本体１１は扉ユニット１４を備えている。扉ユニット１４は外枠１３の内側で回動自在に軸支されており、外枠１３に対して着脱可能に取り付けられている。なお、扉ユニット１４と受け皿ユニット１２とを一体にし、これを外枠１３に対して回動させることもできる。扉ユニット１４は、遊技盤１５を備えており、その前方には開閉自在に軸支された前面扉１６が取り付けられている。遊技盤１５の前面には、図柄表示装置や各種入賞口、障害釘、風車などが設けられ、これにより、遊技盤１５の前面側に遊技領域が形成されている。前面扉１６は透明窓１６ａを備えており、透明窓１６ａを介して遊技盤１５の遊技領域が露呈される。常態では前面扉１６は施錠されており、施錠を解除すると開放することが可能になっている。
【００２８】
受け皿ユニット１２は、パチンコ機本体１１に取り付けられたベース板１２ａとベース板１２ａに取り付けられた前カバー１２ｂとを備えている。前カバー１２ｂはベース板１２ａの前面に取り付けられており、ベース板１２ａの他方の面はパチンコ機本体１１に取り付けられている。パチンコ機本体１１の前面下部は、ベース板１２ａ及び前カバー１２ｂによって覆われている。
【００２９】
前カバー１２ｂの前面にはパチンコ球を貯留する受け皿１７が設けられている。受け皿１７の内壁には払い出し口１８が形成されており、払い出し口１８から賞球（入賞口で入賞が発生した場合に払い出されるパチンコ球）が払い出される。また、前カバー１２ｂの側方で、前面扉１６の軸側と反対側（図中右側）には発射ハンドル１９が設けられている。発射ハンドル１９はベース板１２ａに形成された開口を介してパチンコ機本体１１に取り付けられている。発射ハンドル１９が回動されると、パチンコ球が一球ずつ遊技盤１５の遊技領域に打ち出される。
【００３０】
図２に受け皿ユニット１２及び扉ユニット１４を取り外した状態のパチンコ機本体１１を示す。図２に示すように、外枠１３の内側は、上部の扉ユニット取付部１１ａと下部の受け皿ユニット取付部１１ｂとに区画されている。扉ユニット取付部１１ａには扉ユニット１４が取り付けられ、受け皿ユニット取付部１１ｂには受け皿ユニット１２が取り付けられる。
【００３１】
受け皿ユニット取付部１１ｂの下部には受け皿ユニット１２を受けるユニット受け部２０が設けられている。ユニット受け部２０は、その上面に受け皿ユニット１２が載置されるステージ２０ａを備えている。ステージ２０ａに受け皿ユニット１２が載置されると、ユニット受け部２０のステージ２０ａに連なる前面と受け皿ユニット１２の前面が略面一になる。ステージ２０ａには、その奥側の４箇所に差し込み孔２０ｂが形成されている。差し込み孔２０ｂは、ステージ２０ａの幅方向に沿って並べて配置されている。
【００３２】
図３に示すように、受け皿ユニット１２のベース板１２ａの底面には下方に突出する４つの脚１２ｃが形成されている。脚１２ｃは受け皿ユニット１２の幅方向に沿って並べて配置されている。脚１２ｃは、矩形の板状に形成されており、差し込み孔２０ｂよりも一回り小さくなっている。そして、受け皿ユニット１２をステージ２０ａに載せる際に、脚１２ｃが差し込み孔２０ｂに差し込まれる。
【００３３】
図２及び図４に示すように、受け皿ユニット取付部１１ｂの前面側でその上部の略中央には略角筒形に形成された仮固定用リブ２４がその開口部が前面側を向くように形成されている。仮固定用リブ２４の両側壁にはビス取付部２４ａが形成されている。ビス取付部２４ａには後述するビス２７が取り付けられる。
【００３４】
図５に示すように、仮止め機構２５は、受け皿ユニット１２の脚１２ｃをユニット受け部２０の差し込み孔２０ｂに差し込んだ後に受け皿ユニット１２をパチンコ機本体１１に仮止めする。
【００３５】
仮止め機構２５は、仮固定用リブ２４、フック受け具２６、仮止めフック２８からなる。仮固定用リブ２４には、その前面側にフック受け具２６が取り付けられている。フック受け具２６は例えば樹脂や金属などの材料で形成された板状の部材からなる。フック受け具２６は、その略中央部を仮固定用リブ２４側で湾曲させた湾曲部２６ａを備えている。そして、湾曲部２６ａの両側方に形成された孔２６ｂにビス２７を挿通させ、このビス２７をビス取付部２４ａに取り付けることによってフック受け具２６が仮固定用リブ２４に固定される。フック受け具２６が仮固定用リブ２４に固定されると、湾曲部２６ａは仮固定用リブ２４の中空部分に挿入された状態となる。
【００３６】
また、受け皿ユニット１２のベース板１２ａの裏面には、仮止めフック２８が取り付けられている。仮止めフック２８は、板状の土台２８ａ及び土台２８ａからフック受け具２６に向けて突出した突出部２８ｂを備えている。土台２８ａには突出部２８ｂの両側方に位置するように孔２８ｃが形成されている。そして、孔２８ｃにビス２７を挿通させることによって仮止めフック２８が受け皿ユニット１２の裏面に固定されている。
【００３７】
仮止めフック２８が受け皿ユニット１２に固定された状態では、突出部２８ｂが湾曲部２６ａと対峙する。突出部２８ｂはその側面が湾曲部２６ａの内壁と略同一形状に湾曲している。そして、突出部２８ｂが湾曲部２６ａの内側に嵌め込まれると受け皿ユニット１２がパチンコ機本体１１に仮固定される。
【００３８】
図６及び図７に示すように、受け皿ユニット１２のベース板１２ａの裏面には３つのスライド爪３０が設けられている。スライド爪３０は、受け皿ユニット１２の幅方向（図中Ｘ方向）に沿って並べて配置されている。スライド爪３０は受け皿ユニット１２の幅方向にスライド自在なっており、前面扉１６の軸側（図中左方）に向けて付勢されている。スライド爪３０には、その付勢方向側に略三角形状の係止部３０ａが形成されている。係止部３０ａは、後述する爪係止部３２に係止する。
【００３９】
図６及び図８に示すように、受け皿ユニット１２のベース板１２ａの上端には、スライド爪３０と連結された解除フック３１設けられている。解除フック３１もスライド爪３０と同様に図中Ｘ方向でスライド自在で、かつ前面扉１６の軸側（図中左方）に向けて付勢されている。解除フック３１を前面扉１６の軸側と反対側（図中右方）に向けてスライドさせると、これに連動してスライド爪３０は図中右方にスライドする。これにより、スライド爪３０と爪係止部３２との係止を解除される。なお、解除フック３１は扉ユニット１４を回動させると露呈され、常態では扉ユニット１４によって覆われている。
【００４０】
図２及び図９に示すように、受け皿ユニット取付部１１ｂの上端部には、その幅方向に沿って３箇所に配置された爪係止部３２が形成されている。爪係止部３２には、スライド爪３０と対峙する矩形状の開口３２ａが形成されている。受け皿ユニット１２を受け皿ユニット取付部１１ｂに取り付ける際には、スライド爪３０が開口３２ａからその内部に挿入される。スライド爪３０が開口３２ａに挿入されると、係止部３０ａの斜辺の部分が開口３２ａの側縁に当接し、スライド爪３０が付勢方向と反対方向にスライドする。このため、解除フック３１によってスライド爪３０と爪係止部３２との係止を解除した状態を保持しなくてもスライド爪３０を開口３２ａ内に挿入することができる。開口３２ａの奥でその側方には係止壁３２ｂが形成されている。係止壁３２ｂには開口３２ａから挿入されたスライド爪３０の係止部３０ａの先端部が係止する。これにより、受け皿ユニット１２がパチンコ機本体１１に固定される。
【００４１】
図１０に示すように、パチンコ機本体１１の受け皿ユニット取付部１１ｂには発射装置１１ｃが取り付けられている。発射装置１１ｃは、前面扉１６の軸側の端部に配置されている。受け皿ユニット１２のベース板１２ａには開口１２ｄが形成されている。開口１２ｄは、ベース板１２ａを受け皿ユニット取付部１１ｂに取り付けた状態で前面扉１６の軸側の端部に位置するようにベース板１２ａに形成されている。そして、ベース板１２ａが受け皿ユニット取付部１１ｂに取り付けられると開口１２ｄから発射装置１１ｃが露呈される。
【００４２】
受け皿ユニット１２のベース板１２ａには球送り装置３３が設けられている。球送り装置３３は発射装置１１ｃにパチンコ球を１球ずつ供給する。発射装置１１ｃはノックアームを備えており、発射ハンドル１９の操作に応答してノックアームが一定周期で揺動する。そして、ノックアームの揺動によって球送り装置３３から供給されたパチンコ球が遊技盤１５の遊技領域に１球ずつ打ち出される。なお、ベース板１２ａの開口１２ｄからはノックアームの先端が露呈される。このため、ベース板１２ａの開口を介して例えばノックアームのメンテナンスなどが行われる。
【００４３】
図１１に示すように、受け皿ユニット１２の前カバー１２ｂは、その一部が開閉カバー４０となっている。開閉カバー４０は、前カバー１２ｂの端部で前面扉１６の軸側に配置されている。
【００４４】
図１２及び図１３に示すように、開閉カバー４０は、発射装置１１ｃを覆う閉じ位置（図１２に示す位置）と発射装置１１ｃを露呈する開放位置（図１３に示す位置）との間で回動するように軸着されている。
【００４５】
受け皿ユニット１２のベース板１２ａの下端部には、前方に突出した一対の軸座金４１が取り付けられている。軸座金４１は開閉カバー４０の両側方に配置されている。軸座金４１は互いに対面しており、互いの間に開閉カバー４０の下端部が軸着されている。
【００４６】
開閉カバー４０の軸４０ａは軸座金４１の長孔４１ａに軸着されている。長孔４１ａは、軸４０ａの延びる方向と略直交する方向（図中矢印Ｙ方向）に延びている。これにより、開閉カバー４０は、Ｙ方向での遊びが生じるように軸着されている。そして、開閉カバー４０を開放位置に回動させると、開閉カバー４０の下端とベース板１２ａとの隙間の寸法Ｄがパチンコ球の直径よりも大きくなるように、開閉カバー４０とベース板１２ａとの相対的な位置が設定されている。
【００４７】
ベース板１２ａの上面には突起４３が形成されている。また、開閉カバー４０には、突起４３と対応する位置に突起係止部４０ｂが形成されている。開閉カバー４０を閉じ位置に回動すると突起係止部４０ｂに突起４３が嵌り込んで開閉カバー４０が閉じ位置で保持される。
【００４８】
図１１に示すように、ベース板１２ａには、受け皿ユニット１２の幅方向（図中矢印Ｘ方向）でスライド自在なフック（固定部材）４４が取り付けられている。フック４４は略Ｌ字形の板からなり、一端側が前方に突出した突出部４４ａとなっている。フック４４は、突出部４４ａを把持しながらＸ方向でスライドされる。
【００４９】
フック４４の他端には、切り欠き４４ｂが形成されている。また、パチンコ機本体１１の受け皿ユニット取付部１１ｂにはピン１１ｄが形成されている。切り欠き４４ｂはピン１１ｂに係止可能な形状になっている。そして、フック４４は、フック４４を図中左方にスライドさせて切り欠き４４ｂとピン１１ｄとを係止させる係止位置と、フック４４を図中右方にスライドさせて切り欠き４４ｂとピン１１ｄとの係止を解除する係止解除位置との間でスライドする。
【００５０】
フック４４を係止位置にスライドさせると、パチンコ機本体１１と受け皿ユニット１２との左右方向の位置決めがなされる。また、フック４４を係止解除位置にスライドさせると、突出部４４ａが開閉カバー４０の内壁と干渉して開閉カバー４０を閉じ位置に回動させることが不能になる。このため、フック４４を係止位置にスライドさせた状態でのみ、開閉カバー４０を閉じ位置に回動させることが可能になっている。
【００５１】
図１４に示すように、前面扉１６は、その骨組みとなる枠状のベース部材１６ｂに扉カバー１６ｂを組み付けることによって形成されている。扉カバー１６ｂの下端はパチンコ機本体１１の背面側に向けて屈曲するように形成されている。開閉カバー４０の上面には上方に立ち上がった壁４０ｃが形成されている。そして、開閉カバー４０が閉じ位置に位置する状態で前面扉１６を閉じると、前面扉１６の下端が壁４０ｃの手前に位置するように互いの相対的な位置が設定されている。これにより、開閉カバー４０を閉じ位置から開放位置に回動させようとしても前面扉１６の下端と壁４０ｃとが干渉し、開閉カバー４０を開放位置に回動させることが不能になる。このように、前面扉１６の下端と壁４０ｃとは請求項８中のロック機構を構成する。
【００５２】
次に、上記構成による作用について説明する。受け皿ユニット１２をパチンコ機本体１１に取り付けるには、受け皿ユニット１２の脚１２ｃと差し込み孔２０ｂの位置合わせをしてから受け皿ユニット１２を下方にスライドさせる。これにより、脚１２ｃが差し込み孔２０ｂに差し込まれる。脚１２ｃを差し込んだ後に、ここを支点にして受け皿ユニット１２の上部をパチンコ機本体１１に向けて回動させると、仮止めフック２８がフック受け具２６に嵌合する。これにより、受け皿ユニット１２がパチンコ機本体１１へ仮止めされる。仮止めされた状態の受け皿ユニット１２をさらに回動させるとスライド爪３０が爪係止部３２に係止し、受け皿ユニット１２がパチンコ機本体１１に固定される。そして、フック４４を係止位置にスライドさせ、開閉カバー４０を閉じ位置に回動させると、受け皿ユニット１２の取り付けが完了する。
【００５３】
発射装置１１ｃのメンテナンス作業を行うには、先ず前面扉１６の施錠を解除して前面扉１６を開放する。前面扉１６を開放した後、開閉カバー４０を閉じ位置から開放位置に回動させる。
【００５４】
開閉カバー４０を開放位置に回動させると、発射装置１１ｃが露呈される。このとき、例えば発射装置１１ｃなどからパチンコ球がこぼれ落ちても、開閉カバー４０の下端とベース板１２ａとの隙間でパチンコ球が挟まることを防止できるので、開閉カバー４０の開閉をスムーズに行うことができる。
【００５５】
開閉カバー４０を開放位置に回動させた後、例えば発射装置１１ｃのノックアームの清掃などのメンテナンス作業を行う。発射装置１１ｃのメンテナンス作業が終了した後は開閉カバー４０を閉じ位置に回動させる。このとき、開閉カバー４０を閉じ位置に回動させることができない場合はフック４４を係止位置にスライドさせればよい。開閉カバー４０を閉じ位置に回動させると、突起係止部４０ｂに突起４３が嵌り込んで開閉カバー４０が閉じ位置で保持される。このとき、開閉カバー４０は、軸４０ａの延びる方向と略直交する方向での遊びが生じるように軸着されているので、開閉カバー４０を上方にスライドさせながら閉じ位置に回動させれば、突起４３を突起係止部４０ｂにスムーズに嵌り込ませることができる。開閉カバー４０を閉じ位置に回動させた後は前面扉１６を閉じて施錠する。これにより、開閉カバー４０が閉じ位置でロックされ、発射装置１１ｃのメンテナンス作業が終了する。
【００５６】
上記実施形態では、受け皿ユニット１２をベース板１２ａと前カバー１２ｂとで構成したが、これらで遊技機本体１１の前面を覆ったが、例えば受け皿ユニットを前カバーのみで構成し、前カバーで遊技機本体１１の前面を覆ってもよい。
【００５７】
上記実施形態では、発射装置１１ｃを遊技機本体１１に設け、球送り装置３３を受け皿ユニット１２に設けたが、開閉カバーによって発射装置１１ｃを開閉することが可能であれた、これらを設ける箇所は遊技機本体１１又は受け皿ユニット１２のいずれでもよい。
【図面の簡単な説明】
【００５８】
【図１】パチンコ機の前面側の斜視図である。
【図２】扉ユニットと受け皿ユニットとを取り外した状態のパチンコ機本体の斜視図である。
【図３】受け皿ユニットの下面側からの斜視図である。
【図４】図２中Ａ部分の拡大図である。
【図５】仮止め機構の分解斜視図である。
【図６】開閉カバーが閉じ位置に位置する状態での受け皿ユニットの上面側からの斜視図である。
【図７】図６中Ｂ部分の拡大図である。
【図８】図６中Ｃ部分の拡大図である。
【図９】図２中Ｄ部分の拡大図である。
【図１０】受け皿ユニットのベース板が取り付けられた状態の遊技機本体の正面図である。
【図１１】開閉カバーが開放位置に位置する状態での受け皿ユニットの上面側からの斜視図である。
【図１２】開閉カバーが閉じ位置に位置する状態での受け皿ユニットの縦断面図である。
【図１３】開閉カバーが開放位置に位置する状態での受け皿ユニットの縦断面図である。
【図１４】前面扉の下端で開閉カバーを閉じ位置で保持させた状態を示す前面扉及び開閉カバーの縦断面図である。
【符号の説明】
【００５９】
１０  パチンコ機（弾球遊技機）
１１  パチンコ機本体（遊技機本体）
１１ｃ  発射装置
１２  受け皿ユニット
１２ａ  ベース板
１２ｂ  前カバー
２０  ユニット受け部
２０ａ  ステージ
２０ｂ  差し込み孔
２５  仮止め機構
４０  開閉カバー
４４  フック（固定部材）
【図１】
0004448806.tif 000002
【図２】
0004448806.tif 000003
【図３】
0004448806.tif 000004
【図４】
0004448806.tif 000005
【図５】
0004448806.tif 000006
【図６】
0004448806.tif 000007
【図７】
0004448806.tif 000008
【図８】
0004448806.tif 000009
【図９】
0004448806.tif 000010
【図１０】
0004448806.tif 000011
【図１１】
0004448806.tif 000012
【図１２】
0004448806.tif 000013
【図１３】
0004448806.tif 000014
【図１４】
0004448806.tif 000015